(57)【要約】【課題】  カメラ一体型記録再生装置において、通信機能を有していない場合においても、２次元バーコードに含まれるＵＲＬのリンク情報を記録媒体に記録し、パーソナルデータとして手元で自由にゆっくりと閲覧する。【解決手段】  ２次元バーコードを読み込む手段と、２次元バーコードをデコードする手段と、デコードしたバーコード情報を記録再生装置の記録媒体に記憶する手段と、該バーコードがリンク先を示すＵＲＬを含むとき、リンク先の情報を記録する領域をあらかじめ確保しておく。【選択図】  図１
2007080073.tif 000002
【特許請求の範囲】
【請求項１】
映像及び音声を記録再生するカメラ一体型記録再生装置であって、２次元バーコードを読み込む手段と、２次元バーコードをデコードする手段と、デコードしたバーコード情報を記録媒体に記憶する手段と、該バーコード情報がリンク先を示すURLを含むとき、リンク先の情報を記録する領域をあらかじめ確保する手段とを具備していることを特徴とするカメラ一体型記録再生装置。
【請求項２】
前記カメラ一体型記録再生装置がさらに通信手段及び表示手段を具備し、リンク先の情報を該表示手段に表示することを特徴とする請求項１に記載のカメラ一体型記録再生装置
【請求項３】
前記カメラ一体型記録再生装置はディスク記録型再生装置であることを特徴とする請求項１又は、請求項２に記載のカメラ一体型記録再生装置。
【発明の詳細な説明】
【技術分野】
【０００１】
本発明は、映像や音声を記録再生するカメラ一体型記録再生装置に関する。
【背景技術】
【０００２】
液晶パネルなどの画面表示機能や、キー入力などによる入力装置を有している昨今の携帯電話は、いわゆる電波の送受信を行なう電話機としての機能のほかに、メールをやり取りできる機能や、ゲームを楽しめる機能などを備えるなど、多機能化の傾向が進んでいる。
【０００３】
近年、小型で、低消費電力のイメージセンサが開発されたことに伴い、携帯電話機などの携帯型装置にカメラを内蔵することが可能となり、内蔵カメラにより撮影した画像を、電子メールで即座に送信することが可能となっている。
【０００４】
また、近年の携帯電話機は、インターネットに接続する機能を有している。インターネットに接続するには、URL(Uniform Resource Locator)をキーから入力する必要があり、携帯電話機のキーでは、長いURLを打ち込むために手間がかかっていた。そこで、URLを一意の番号で管理し、その番号に対応するバーコードシンボル（以下、２次元バーコードと略称する）を印刷したものを携帯電話機内蔵のカメラにより撮像し、入力した２次元バーコード画像をデコードし、デコードしたURLにアクセスすることで、サービスを利用することができる。
【０００５】
２次元バーコードは、広告や展示会などでも日常的に使用されており、２次元バーコード画像をデコードすることで、情報を入手することが可能となっている。
【０００６】
例えば、特許文献１には、展示会などで、作品の説明がパンフレットとして紙に文字情報として書かれている、又は展示品脇のボードなどに記載されていた場合に、人気の高い美術展は非常に大勢の人で混雑しており、通常、展示品の横にある、展示品についての概要、背景及び作者等についての説明をその場でゆっくり読みながら展示品を鑑賞することが非常に困難なことがあり、パンフレットの場合は、紙がかさばるなどの問題があったため、２次元バーコードの情報をディジタルデータとして携帯端末装置に取り込むことができ、混雑している場所などで個々人が展示品に関する情報や説明をパーソナルデータとして手元でゆっくりと閲覧できる携帯端末装置が開示されている。
【特許文献１】特開２００４−１２６９４２号公報
【発明の開示】
【発明が解決しようとする課題】
【０００７】
上述したように、従来では、広告や展示会などで２次元バーコードが使用され、携帯端末装置内蔵のカメラで撮像した２次元バーコード画像をデコードし、デコードした文字情報やURL情報にアクセスし、情報を入手している。前記URL情報に関しては、日々最新の情報が更新され、動画ファイル等も充実し、今後ますます活用されていくことが考えられる。
【０００８】
例えば、カムコーダへの応用も考えられる。カムコーダにも静止画モードを具備しているため、画像を撮影することは出来るが、２次元バーコードをデコードすることは出来ないという問題があった。さらに、２次元バーコードを撮影し、２次元バーコードをデコードしても通信機能を具備していないため、URL情報にアクセスして情報を記憶媒体にダウンロードすることが出来ないという問題があった。
【０００９】
本発明は、このような課題に鑑みてなされたものであって、情報をディジタルデータとして取り込み、パーソナルデータとして手元で自由にゆっくりと閲覧することができるカメラ一体型記録再生装置及びカメラ一体型記録再生装置の記録媒体を提供することを目的とする。
【課題を解決するための手段】
【００１０】
上記課題を解決するために、本発明は、映像や音声を記録再生するカメラ一体型記録再生装置において、２次元バーコードを読み込む手段と、２次元バーコードをデコードする手段と、デコードしたバーコード情報を該記録再生装置の記録媒体に記憶する手段と、該バーコード情報がリンク先を示すURLを含むとき、リンク先の情報を記録する領域をあらかじめ確保する手段とを有している。
【００１１】
また、本発明において、前記カメラ一体型記録再生装置がさらに通信手段及び表示手段を具備し、リンク先の情報を該表示手段に表示する手段とを有している。
【発明の効果】
【００１２】
通信手段を有していない場合でも、２次元バーコードをデコードし、予め記録媒体に記録する領域を確保しておくことで、インターネットサイトからダウンロードして、該バーコードに含まれるURLのリンク先の情報を記録媒体に記録することが可能となる。これにより、旅行先での撮影画像確認時や旅行後の映像音声データ編集時にパーソナルデータとして手元でゆっくりと閲覧することが可能となる。また、旅行先の建造物に関する映像音声データを記録した記録媒体と同一媒体に該建造物に関するリンク先の情報を記録することができるため、利便性が向上する。
【発明を実施するための最良の形態】
【００１３】
以下、図を参照して本発明の実施の形態を詳細に説明する。
【００１４】
図１〜図２は、本発明を適用したカメラ一体型記録再生装置１の一実施の形態を示す図である。
【００１５】
まず、構成を説明する。図１は、本実施形態における映像データや音声データを記録再生するカメラ一体型記録再生装置１の構成を示すブロック図である。図１において、カメラ一体型記録再生装置１は、CPU１１ａ、ＲＯＭ１１ｂ、ＲＡＭ１１ｃ、を備えるシステムコントローラ１１、表示部１２、操作部１３、撮像部１４、バーコードデコーダ部２０、記録再生部１５、ＭＰＥＧエンコーダ１６、ＭＰＥＧデコーダ１７、バッファメモリ１８、ＡＶメモリ１９等から構成される。
【００１６】
まず、撮像部１４取り込んだ映像データや音声データは、ＡＤ変換されてＡＶメモリ１９に一時格納される。バーコードを撮影した場合には、バーコードデコーダ部１９でデコードを行なう。このとき、ＡＶメモリ１９内で、ＪＰＥＧ圧縮や、リサイザ等の処理を行なうこともできる。これらは、直接ＡＶメモリ１９からバッファメモリ１８へ転送される。また、映像データは、バーコードデコーダ部２０でデコードされる。映像データと音声データはＭＰＥＧエンコーダ１６へ入力され、ＭＰＥＧエンコーダ１６でビットストリームデータにエンコードされる。次に、ビットストリームデータは、バッファメモリ１８に書き込まれる。バッファメモリ１８のデータは、システムコントローラ１１の制御により、ディスク２へのデータの記録が行なわれる。ちなみに、バッファメモリ１８は、外乱や振動により、記録再生部１５がディスク２にアクセスできない場合に、データを溜めておく役割があり、データ記録時には、記録データが途切れないために使用され、記録ボタンが押されたら、撮像部１４から入力されるデータを記憶しておくことで、記録データが途切れることはない。再生時には、再生データが途切れないために使用される。また、バッファメモリ１８は、装填されたディスクから読み取ったＴＯＣ情報に含まれるアドレス情報（例えば、トラックの開始位置）等を一時的に格納するワークエリアを有する。
【００１７】
再生時は、ディスク２から読み出した信号をバッファメモリ１８に書き込む。ビットストリームデータを再生した場合は、ＭＰＥＧデコーダ１７に転送され、ＭＰＥＧデコーダ１７でビットストリームデータからビデオデータにデコードされる。その他のデータの場合は、直接ＡＶメモリ１９へ転送される。また、ＭＰＥＧデコーダ１７でデコードされたデータは、ＡＶメモリ１９に書き込まれ、ＬＣＤ等の表示装置１２に表示される。
【００１８】
システムコントローラ１１は、ＣＰＵ１１ａ、ＲＯＭ１１ｂ、ＲＡＭ１１ｃにより構成される。ＣＰＵ１１ａは、ＲＯＭ１１ｂ、及びＲＡＭ１１ｃに格納される各種アプリケーションプログラムを読み出して実行し、記録再生装置１の各部を集中的に駆動制御する。
【００１９】
また、ＲＡＭ１１ｃは、ＣＰＵ１１ａの各種制御動作に対応するアプリケーションプログラムを格納するプログラム格納エリアを有し、読み出し専用のＲＯＭ１１ｂにはカメラ一体型記録再生装置１の動作を実行するプログラムやデータが記憶される。プログラムにはバーコード識別プログラム、データ抽出プログラム、ＵＲＬ接続プログラム、ファイル選択プログラム、ダウンロードプログラム及び再生プログラムが含まれる。
【００２０】
なお、ＣＰＵ１１ａは、撮像部１４で捉えたバーコード４２の画像データを解析して文字から成る識別情報を得るバーコード識別手段、識別情報に含まれるＵＲＬ等の各種情報を抽出するデータ抽出手段、データ抽出手段により抽出されたＵＲＬにインターネットを介して接続する機能、データ抽出手段により抽出された音声データや映像データのデータソースファイルのファイル名をインターネットサイト上で検索して選択するファイル選択機能、インターネット上のデータソースをRAM１１ｃまたは記録媒体２にダウンロードするダウンロード機能、ダウンロードされるデータソースを再生する再生機能、とを有している。前記再生機能は、RAM１１cまたは記録媒体２０に保存されていたデータソースを取り出して再生するだけでなく、ダウンロード機能と同時に実行してデータソースの一部をバッファメモリ１８上のバッファメモリにダウンロードしながら取り出すストリーミングによって再生することもできる。
【００２１】
上記構成のカメラ一体型記録再生装置において、バーコード撮影時の動作を図２のフローチャートを参照して説明する。
【００２２】
ステップS２０１で、操作部13のモードダイヤル（図示しない）をカメラモードに設定する。ステップＳ２０2では、カメラ一体型記録再生装置１の操作部13を操作して、撮像部14により美術館のパンフレットや旅行先で購入した入場券等に印刷された２次元バーコード４２を撮影して読み取りを実行する。ステップＳ２０３では２次元バーコード４２の読み取りが成功したか否かが判断される。ここで、読み取りが成功しなかった場合は、ステップS２０３にて「No」へ進み、読み取り失敗のメッセージを、カメラ一体型記録再生装置１の表示部１２に表示して、ユーザーに知らせるように構成されている（ステップS２０４）。そして、ステップS２０２へ戻り、ユーザーはカメラ一体型記録再生装置１の撮像部１４による読み取りを再び実行するようになっている。
【００２３】
ステップS２０３において、２次元バーコード４２の読み取りが成功した場合は、「Yes」へ進み、バーコード識別プログラムによって２次元バーコード４２の画像データを解析して識別情報が読み取られる。ステップＳ２０５では、データ抽出プログラムにより、識別情報に含まれたＵＲＬ31、ファイル情報、付加情報が取得されRAM１１ｃに記憶される。
【００２４】
ＵＲＬ31は該美術館や旅行先の建造物等の映像データや音声データから成るデータソースをインターネットを介して配信する配信元のインターネットサイトを示す。ファイル情報は、配信されるデータソースのファイル名32を示し、映像データのファイルはmpegファイルやaviファイル等から成り、音声データのファイルはmp3ファイルやＷＭＡファイル等から成る。付加情報はデータサイズが比較的小さいデータから成り、データソースのデータサイズ33、タイトル等が含まれる。
【００２５】
ステップＳ２０６ではＵＲＬが取得されたか否かが判断され、取得されない場合は終了する。ＵＲＬを取得した場合はステップＳ２０７で図３に示すように、表示部１２にＵＲＬ３１がタイトル等の付加情報３２とデータサイズ３３とともに表示される。
【００２６】
ステップS２０８ではカメラ一体型記録再生装置１に通信機能を有しているか否かが判断され、通信機能を有していない場合には、「No」へ進み、ステップS２１3で、RAM11cに記憶されている該識別情報に含まれたURL31、ファイル情報、付加情報を記録媒体２の管理領域に記録し、S２１４で該付加情報に記載されているデータソースのデータサイズ分だけ記録媒体２に領域を確保する。このとき確保された記録媒体２内の領域は、URL31に記載されたリンク先のデータを記録するための領域として確保され、それ以外の入力データは記録を行なわない構成になっている。
【００２７】
ステップＳ２０８で、カメラ一体型記録再生装置１の外部インターフェース（図示しない）に、携帯電話機等が接続されており、通信機能を有している場合には、「Yes」へ進み、ステップS２０９でインターネットに接続され、Ｓ２１０でインターネットサイトのファイル名の確認を行なう。ステップS２１１では表示部１２に著作権に関する警告画面が表示される。例えば、「ダウンロードしたデータソースを個人の視聴以外の目的で利用することは著作権法により禁じられています。」等のメッセージが表示され、著作権法の違反行為を抑制する。
【００２８】
Ｓ２１２では、データソースをダウンロードしながら再生を選択したか否かが判断される。データソースの再生を選択した場合は、Ｓ２１５に移行し、データソースのファイルがダウンロードプログラムによりダウンロードされ、ストリーミングによって再生プログラムにより再生される。これにより、ユーザーは表示１２を介してデータソースを視聴することができる。
【００２９】
ステップＳ２１２でデータソースの保存と判断した場合には、ステップＳ２１６に移行して、保存先としてRAM９または記録媒体２が選択される。ステップＳ２１７ではデータソースのファイルからＲＡＭ９または記録媒体２に保存される。これにより、後でユーザー再生プログラムによってデータソースを取り出して再生し、表示部１２を介してデータソースを視聴することができる。この時、再生中のデータソースの関連情報、付加情報及び画像データが表示部１２に表示される。
【００３０】
本実施形態によると、カメラ一体型記録再生装置１によってバーコード４２に記録されたURLやファイル情報を読み取ってデコードし、データソースの配信元からダウンロードする領域をあらかじめ確保することにより、同一記録媒体上に撮影した映像や音声データとダウンロードしたデータを格納できるため、利便性を向上させることができる。
【００３１】
通信手段を有していない場合でも、２次元バーコードをデコードし、予め記録媒体に記録する領域を確保しておくことで、該カメラ一体型記録再生装置の外部インターフェースに通信手段を接続した時、または記録媒体をインターネットに接続可能なPC等に挿入した場合に、インターネットサイトからダウンロードして、該バーコードに含まれるURLのリンク先の情報を記録媒体に記録することが可能となる。これにより、旅行先での撮影画像確認時や旅行後の映像音声データ編集時にパーソナルデータとして手元でゆっくりと閲覧することが可能となる。また、旅行先の建造物に関する映像音声データを記録した記録媒体と同一媒体に該建造物に関するリンク先の情報を記録することができるため、記録媒体を交換する必要がない。さらに、ダウンロードしたデータが記録されている記録媒体を再生した場合に、カメラ一体型記録再生装置に通信手段を有していない場合でも、記録媒体上のダウンロードしたデータの再生が可能となる。
【００３２】
なお、図４は、本実施例で用いる２次元バーコードを示す図である。
【００３３】
また、本実施例に関して、記録媒体にディスクを用いているが、磁気テープやカセットテープ等の磁気ディスクやCD−R／RW、MO、DVD−RAM、DVD−RW等の光ディスクのディスク系、PCカード、ICカード、ＳＤカード、メモリースティック等の半導体メモリにおいても適用できる。
【００３４】
また、展示会や建造物のパンフレットや入場券にバーコード42を設けているが、情報誌、音楽雑誌、映像雑誌、カラオケの選曲本等の刊行物にバーコード４２を設けてもよい。
【図面の簡単な説明】
【００３５】
【図１】本実施例で用いるカメラ一体型記録再生装置の構成例を示す図である。
【図２】本実施例で用いるバーコード撮影時の動作を説明するためのフローチャートである。
【図３】本実施例で用いるカメラ一体型記録再生装置の表示部を示す図である。
【図４】本実施例で用いる２次元バーコードを示す図である。
【符号の説明】
【００３６】
１  カメラ一体型記録再生装置
２  記録媒体
11  システムコントローラ
11a  CPU
11b  ROM
11c  RAM
12  表示部
13  操作部
14  撮像部
15  記録再生部
16  MPEGエンコーダ
17  MPEGデコーダ
18  バッファメモリ
19  ＡＶメモリ
20  バーコードデコーダ部
31  URL
32  ファイル情報
33  データサイズ
42  バーコード
【図１】
2007080073.tif 000003
【図２】
2007080073.tif 000004
【図３】
2007080073.tif 000005
【図４】
2007080073.tif 000006